(57)【要約】【課題】反射器を備えた端末同士で高速のデータ通信を実現する。【解決手段】反射器２００は、サブキャリア周波数の送受信のためのアンテナ２３０と、サブキャリア変調波を受信するための受信機２３２を備える。データ送信を行なう際、アンテナ・スイッチ２３１は図中ｂ側に接続され、サブキャリア変調波は、サブキャリア変調器２２０からアンテナ・スイッチ２３１を経由して、アンテナ２３０より送信される。データ受信を行なうときは、アンテナ・スイッチ２３１は図中ａ側に接続され、受信されたサブキャリア変調波は、受信部２３２でベースバンド信号に変換され、ベースバンド処理部２０８で復調される。【選択図】  図１
2008124916.tif 000002
【特許請求の範囲】
【請求項１】
無変調キャリアを受信して変調反射波信号を送信する反射器と、無変調キャリアを送信するとともに変調反射波信号を受信する反射波読取器で構成される無線通信システムであって、
前記反射器において、送信データをサブキャリア周波数ｆsで１次変調し、さらに該１次変調信号を無変調キャリアｆoの入力と掛け算して２次変調した変調反射波信号を送信して反射器から反射波読取器へのデータ伝送を行なう第１のデータ伝送手段と、
前記反射器において、周波数ｆsのサブキャリアを送信データで１次変調したサブキャリアの変調信号を送信して他の反射器へのデータ伝送を行なう第２のデータ伝送手段と、
を具備することを特徴とする無線通信システム。
【請求項２】
無変調キャリアを受信して変調反射波信号を送信する無線通信装置であって、
無変調キャリアの周波数ｆo及びその変調反射波の中心周波数帯において送受信する第１のアンテナと、
サブキャリア周波数ｆsにおいて送受信する第２のアンテナと、
サブキャリア周波数ｆsにより送信データをサブキャリア変調するサブキャリア変調手段と、
前記第２のアンテナで受信したサブキャリア変調信号を受信処理するサブキャリア変調信号受信手段と、
該サブキャリア変調信号を前記第１のアンテナで受信した周波数ｆoの無変調キャリアと掛け算して反射波変調する反射波変調手段と、
前記反射波変調手段により生成された変調反射波信号を前記第１のアンテナから送信する反射波伝送動作と、前記サブキャリア変調手段により生成されたサブキャリア変調信号を前記第２のアンテナから送信する送信動作、及び前記サブキャリア変調信号受信手段によるサブキャリア変調信号の受信動作を含む、当該装置動作を制御する制御手段と、
を具備することを特徴とする無線通信装置。
【請求項３】
前記制御手段は、前記第２のアンテナを用いてサブキャリア変調信号の送受信動作を行なうときには、微弱電波レベルまで送信電力を絞るようパワーダウンの制御を行なう、
ことを特徴とする請求項２に記載の無線通信装置。
【発明の詳細な説明】
【技術分野】
【０００１】
本発明は、比較的近距離の機器間において低消費電力の通信動作を実現する無線通信システム並びに無線通信装置に係り、特に、反射波読取器側からの無変調キャリアの送信と、反射器側におけるアンテナの終端操作に基づく受信電波の吸収と反射を利用した反射波伝送方式によりデータ通信を行なう無線通信システム並びに無線通信装置に関する。
【０００２】
さらに詳しくは、本発明は、反射器を備えた端末同士でのデータの授受を実現する無線通信システム並びに無線通信装置に係り、特に、反射波読取装置の介在なしに反射器を備えた端末同士で高速のデータ通信を実現する無線通信システム並びに無線通信装置に関する。
【背景技術】
【０００３】
無線通信技術は、有線通信方式におけるケーブルの配線からユーザを解放するシステムとして期待され、急速に普及してきている。ここで言う無線通信には、携帯電話（ＰＤＣ：Ｐｅｒｓｏｎａｌ  Ｄｉｇｉｔａｌ  Ｃｅｌｌｕｌａｒ）やＰＨＳ（Ｐｅｒｓｏｎａｌ  Ｈａｎｄｙｐｈｏｎｅ  Ｓｙｓｔｅｍ）、ＩＥＥＥ８０２．１１に代表される無線ＬＡＮ（Ｌｏｃａｌ  Ａｒｅａ  Ｎｅｔｗｏｒｋ）、Ｂｌｕｅｔｏｏｔｈ通信などが挙げられる。
【０００４】
また、最近ではＲＦＩＤ（Ｒａｄｉｏ  Ｆｒｅｑｕｅｎｃｙ  ＩＤｅｎｔｉｆｉｅｒ）などに使用される非接触通信方式を利用したデータ通信システムについて提案がなされている。非接触の通信方法には、静電結合方式、電磁誘導方式、電波通信方式などが挙げられる。このうち電波通信方式のＲＦＩＤシステムは、受信した無変調キャリアに対し変調処理を施した反射波によりデータを送信する反射器と、反射器からの変調反射波信号からデータを読み取る反射波読取器で構成され、「バックスキャッタ」とも呼ばれる反射波伝送を行なう。
【０００５】
反射器は、反射波読取器から無変調キャリアが送られてくると、アンテナ負荷インピーダンスの切り替え操作などに基づいてその反射波に変調を施してデータを重畳する。すなわち、反射器側ではキャリア発生源が不要であることから、低消費でデータ伝送動作を駆動する。そして、反射波読取器側では、このような変調反射波を受信し、復調並びに復号処理して伝送データを取得することができる。
【０００６】
また、反射器においてアンテナの負荷インピーダンスを変化させるためのアンテナ・スイッチを、送受信処理用の回路モジュールに組み込んでＣＭＯＳトランジスタで構成することもできるが、回路モジュールとは切り離して、ガリウム砒素（ＧａＡｓ）のＩＣ（Ｉｎｔｅｇｒａｔｅｄ  Ｃｉｒｃｕｉｔ）で構成することで、低消費電力で高速な切り替え動作が可能となる。後者の場合、反射波変調によるデータ伝送レートが向上するとともに、その消費電力は数１０μＷ以下に抑制される。したがって、無線ＬＡＮでは通信時に数百ｍＷ〜数Ｗ程度の電力を消費することを考慮すると、反射波通信は一般的な無線ＬＡＮの平均消費電力と比較すると（現在市販されているＩＥＥＥ８０２．１１ｂの無線ＬＡＮカードの多くは、送信時に８００ｍＷ以上、受信時に６００ｍＷ以上の消費電力がある）、圧倒的な性能差を持つと言える（例えば、特許文献１を参照のこと）。
【０００７】
反射器を搭載した端末は受信電波を反射する動作を行なうだけであるから、無線局とはみなされず、電波通信に課される法規制の対象外として扱われる。また、電磁誘導方式など他の非接触通信システムでは数ＭＨｚ〜数百ＭＨｚ（例えば１３．６５ＭＨｚ）の周波数を用いるのに対し、反射波通信方式では例えばＩＳＭ（Ｉｎｄｕｓｔｒｏｒｙ  Ｓｃｉｅｎｃｅ  ａｎｄ  Ｍｅｄｉｃａｌ  Ｂａｎｄ）と呼ばれる２．４ＧＨｚ帯の高帯域を用いた高速なデータ伝送を実現することができる。
【０００８】
例えば、デジタルカメラや、ビデオ・カメラ、携帯電話、携帯情報端末、携帯型音楽再生装置など、消費電力を極力抑えたいモバイル系の端末機器に反射器を組み込み、テレビ、モニタ、プリンタ、ＰＣ、ＶＴＲ、ＤＶＤプレイヤなど、据え置き型の家電製品などからなるホスト機器に反射波読取器を組み込む。そして、カメラ付き携帯電話やデジタルカメラで撮った画像データを、反射波伝送路を経由でＰＣにアップロードし、画像データの蓄積や表示出力、プリントアウトなどを行なうことができる。
【０００９】
図４には、反射波伝送を行なう反射器と反射波読取器の構成を示している。同図に示す例では、
【００１０】
端末装置２００は、アンテナ２０１と、ＳＰＤＴスイッチ（単極双投スイッチＳｉｎｇｌｅ−Ｐｏｌｅ／Ｄｏｕｂｌｅ−Ｔｈｒｏｗ  Ｓｗｉｔｃｈ）２０２と、高周波アンプ２０６と、ＡＳＫ検波器２０７と、ベースバンド処理部２０８と、アプリケーション部２０９と、中心周波数ｆsのサブキャリア変調器２２０を備え、反射器機能を搭載しているである。
【００１１】
まず、端末装置２００について説明する。ＳＰＤＴスイッチ２０２は、ガリウム砒素のＦＥＴで構成され、反射波の生成と送受信のアンテナ切り替えを行なう。すなわち、データ送信時には、ベースバンド処理部２０８より、周波数ＳＰＤＴスイッチ２０２内のスイッチ２０４はオフに制御され、アンテナ２０１が高周波アンプ２０６及びＡＳＫ検波器２０７からなる受信系統から切り離されるとともに、ベースバンド処理部２０８からは送信データ（ＴＸＤＡＴＡ）が出力されてサブキャリア変調器２２０で１次変調が施され、中心周波数ｆsのデジタル送信データが生成される。周波数ＳＰＤＴスイッチ２０２内のスイッチ２０３は、サブキャリア変調された送信データに従いオンオフを繰り返すように制御される。例えば、送信データが１のときは、スイッチ２０３がオンになり、アンテナ負荷インピーダンス（例えば５０オーム）と同じ値の抵抗２０５で終端されるが、送信データが０のときには、スイッチ２０３はオフとなり、アンテナ２０１から受信された信号は反射する。このようにして、ＳＰＤＴスイッチ２０２内のスイッチ２０３において、反射波読取装置２１０からの無変調キャリア周波数ｆ２±ｆsの反射によるＡＳＫ（又はＰＳＫ）の変調波が生成され、アンテナ２０１から放射される。
【００１２】
また、データ受信時には、スイッチ２０３はオフに制御され、スイッチ２０４がオンとなる。したがって、アンテナ２０１から入力された受信信号（ここではＡＳＫ変調波とする）は、高周波アンプ２０６で増幅され、ＡＳＫ検波器２０７で復調される。復調された受信データ（ＲＸＤＡＴＡ）は、ベースバンド処理部２０８に渡される。
【００１３】
ベースバンド処理部２０８は、送受信の制御、通信プロトコル処理を行なう。送受信データは、アプリケーション部２０９とインターフェースされる。携帯端末装置２００が例えばデジタルカメラの場合、アプリケーション部２０９はカメラ部やメモリ部、操作部などで構成される。
【００１４】
次に反射波読取装置２１０について説明する。反射波読取装置２１０は、アンテナ２１１と、サーキュレータ２１２と、受信周波数ｆ１の受信部２１３と、送信周波数ｆ２の送信部２１４と、ベースバンド処理部２１５と、アプリケーション部２１６を備えている。送信部２１４は、ベースバンド処理部２１５の指示により動作し、データ受信時には周波数ｆ２の無変調キャリアをそのまま送信し、送信時には周波数ｆ２の無変調キャリアを制御信号などの送信データで変調したＡＳＫ変調波を送信する。これらの送信信号は、サーキュレータ２１２を経由してアンテナ２１１より放射される。
【００１５】
反射波読取装置２１０側にとって受信状態のときに、送信部２１４は無変調キャリアを送信し続けている。そして、受信部２１３では、端末装置２００からのサブキャリア周波数ｆsだけシフトした周波数ｆ１（ここでは、ｆ１＝ｆ２−ｆsとする）の変調反射波信号を受信する。
【００１６】
ベースバンド処理部２１５は、データ送信時にはＡＳＫ変調信号の生成、受信時には変調反射波信号の復調、送受信の制御、通信プロトコル処理を行なう。送受信データは、アプリケーション部２０９とインターフェースされる。アプリケーション部２０９は、例えばＪＰＥＧ（Ｊｏｉｎｔ  Ｐｉｃｔｕｒｅ  Ｅｘｐｅｒｔｓ  Ｇｒｏｕｐ）画像データのデコード部を含み、デコードされたビデオ信号はＴＶなどに出力される。
【００１７】
図５には、反射波伝送方式を利用した通信システムの構成例を示している。図示の通信システムは、反射器を搭載したデジタルカメラ１００と、反射波読取装置１０１で構成される。デジタルカメラ１００には、反射波伝送によりデータ伝送する送信機能の他に、反射波読取装置１０１からのデータを受信する受信機能が装備されている。また、反射波伝送による送信機能を備えた端末として、デジタルカメラ１００の他に、携帯電話１０６も存在している。
【００１８】
図示の通信システムでは、反射波読取装置１０１から送信される無変調キャリア１０２に対して、ＪＰＥＧ画像データを乗せた反射波１０３がデジタルカメラ１００から送られる。このＪＰＥＧ画像データは、反射波読み取り装置１０１でデコードされた後、アナログのビデオ信号として、テレビ１０４の画面で表示出力される。
【００１９】
無線ＬＡＮやＢｌｕｅｔｏｏｔｈ通信では、端末間での直接通信が可能である。これに対し、図５に示したような反射波伝送を利用する通信システムにおいては、反射器を搭載した端末間（具体的には、デジタルカメラ１００と携帯電話１０６間）での直接通信を行なうことができない。何故ならば、双方の端末は反射波信号を生成するためのキャリア発生源を持たないからである。言い換えれば、データ供給源であるデジタルカメラ１００からデータを読み出すには、無変調キャリアを供給する必要がある。例えば、デジタルカメラ１００内のＪＰＥＧ画像データを携帯電話１０６に転送するには、反射波読取装置１０１内のメモリ１０５にデジタルカメラ１００のＪＰＥＧ画像データを一度蓄積してから、デジタルカメラ１００の代わりに携帯電話１０６を反射波読取装置１０１に乗せて、メモリ１０５内のデータを携帯電話１０６にコピーするという手順が必要となる。
【００２０】
このように、反射波伝送を行なう端末同士で、データコピーのような端末間直接通信を行なうためには、常に反射波読取装置が必要である。家庭内ではそれほど大きな問題ではないが、屋外での使用を考えると、利便性が悪く、大きな欠点となる。また、反射波読取装置を経由することがボトルネックとなり、データ通信の高速化の障害となる。
【００２１】
【特許文献１】特開２００５−６４８２２号公報
【発明の開示】
【発明が解決しようとする課題】
【００２２】
本発明の目的は、反射器側におけるアンテナの終端操作に基づく受信電波の吸収と反射を利用した反射波伝送方式によりデータ通信を好適に行なうことができる、優れた無線通信システム並びに無線通信装置を提供することにある。
【００２３】
本発明のさらなる目的は、反射波読取装置の介在なしに反射器を備えた端末同士で高速のデータ通信を実現することができる、優れた無線通信システム並びに無線通信装置を提供することにある。
【課題を解決するための手段】
【００２４】
本発明は、上記課題を参酌してなされたものであり、無変調キャリアを受信して変調反射波信号を送信する反射器と、無変調キャリアを送信するとともに変調反射波信号を受信する反射波読取器で構成される無線通信システムであって、
前記反射器において、送信データをサブキャリア周波数ｆsで１次変調し、さらに該１次変調信号を無変調キャリアｆoの入力と掛け算して２次変調した変調反射波信号を送信して反射器から反射波読取器へのデータ伝送を行なう第１のデータ伝送手段と、
前記反射器において、周波数ｆsのサブキャリアを送信データで１次変調したサブキャリアの変調信号を送信して他の反射器へのデータ伝送を行なう第２のデータ伝送手段と、
を具備することを特徴とする無線通信システムである。
【００２５】
但し、ここで言う「システム」とは、複数の装置（又は特定の機能を実現する機能モジュール）が論理的に集合した物のことを言い、各装置や機能モジュールが単一の筐体内にあるか否かは特に問わない（以下、同様）。
【００２６】
本発明は、無変調キャリアを受信してデータを重畳させた変調反射波を送出する反射器を搭載した反射器と、変調反射波からデータを読み取る反射波読取器を搭載した反射波読取器で構成される、電波の反射技術を利用した無線通信システムに関する。反射波伝送を利用した通信システムによれば、反射器側ではキャリア発生源が不要であることから、消費電力を格段に削減しながらデータ伝送を行なうことができ、一般的な無線ＬＡＮに比べると圧倒的な性能差である。
【００２７】
ここで、反射器自体は反射波信号を生成するためのキャリア発生源を持たないことから、反射器を搭載した端末装置の間でデータの授受を行なうには、反射波読取装置を介在させる必要がある。すなわち、一方の端末装置に格納されているデータを反射波読取装置が反射波伝送方式により読み出してから、この反射波読取装置から他方の端末装置に対して読み出しデータを転送する。このような場合、端末間でデータの授受を行なうには、場所の制限があるためユーザの利便性が低くなり、また、反射波読取装置の介在がボトルネックとなりデータ通信の高速化が困難となる。
【００２８】
これに対し、本発明では、サブキャリア変調を用いた反射波伝送を行なう場合に、反射器がサブキャリア周波数ｆsにより送信データを１次変調し、さらにアンテナで受信した無変調キャリアと掛け算して２次変調するという構成に着目して、反射器で生成されるサブキャリアを用いて反射波伝送を行なう端末同士での反射波読取装置を使用しない直接通信を行なうようにしている。
【００２９】
すなわち、本発明に係る通信システムでは、反射器は、無変調キャリアの周波数ｆo及びその変調反射波の中心周波数帯において送受信する第１のアンテナと、サブキャリア周波数ｆsにおいて送受信する第２のアンテナと、サブキャリア周波数ｆsにより送信データをサブキャリア変調するサブキャリア変調手段と、前記第２のアンテナで受信したサブキャリア変調信号を受信処理するサブキャリア変調信号受信手段と、該サブキャリア変調信号を前記第１のアンテナで受信した周波数ｆoの無変調キャリアと掛け算して反射波変調する反射波変調手段を備えている。そして、このような反射器は、前記反射波変調手段により生成された変調反射波信号を前記第１のアンテナから反射波読取装置へ送信する反射波伝送動作の他に、同様の構成を備えた反射器との間において、前記サブキャリア変調手段により生成されたサブキャリア変調信号を前記第２のアンテナから送信する送信動作、並びに前記サブキャリア変調信号受信手段による他の反射器からのサブキャリア変調信号の受信動作を行なうことができる。
【００３０】
このような反射器は、従来から備えているサブキャリア変調器を利用して、新たにサブキャリア用のアンテナと受信機を装備するだけで、反射波読取装置無しで反射器を備えた端末間の直接通信が実現することができる。
【００３１】
このようなサブキャリア変調信号を受信する受信部は、微弱電波用のＶＨＦ帯のものであり、ＣＭＯＳ回路を用いて実装することで低消費電力の通信動作を実現することが可能である。したがって、従来の反射器に受信部をさらに追加することに伴う消費電力は、反射波通信を行なっているときとほぼ同じと考えることができ、低消費電力という特徴を損なうことなく、端末間直接通信が可能である。一方、反射波読取装置との間で使用される変調反射波信号ｆ１、並びに無変調キャリアｆ２を２．４ＧＨｚ帯とすると、反射器側には、２．４ＧＨｚ帯の電波を自ら送信する送信機（キャリア発生源）を持つ必要がなく、従来からあるサブキャリア変調器を利用して、新たにサブキャリア用のアンテナと受信機を装備するだけで、反射波読取装置無しで端末間の直接通信が実現することができる。
【００３２】
サブキャリアには、例えば３０〜６０ＭＨｚなどの周波数帯が使用される。そして、サブキャリアを用いた反射器同士のデータ通信を行なう際には、パワーダウンの制御を受け、微弱電波レベルまで送信電力を絞って使用される。
【発明の効果】
【００３３】
本発明によれば、反射波読取装置の介在なしに反射器を備えた端末同士で高速のデータ通信を実現することができる、優れた無線通信システム並びに無線通信装置を提供することができる。
【００３４】
本発明によれば、反射波読取装置がない環境でも、反射器を備えた端末同士でデータ受信を直接行なうことができるので、どこでも使用することが可能となり、利便性が格段に向上する。また、反射波読取装置が介在しないことから、端末間で高速のデータ通信を実現することができる。
【００３５】
本発明のさらに他の目的、特徴や利点は、後述する本発明の実施形態や添付する図面に基づくより詳細な説明によって明らかになるであろう。
【発明を実施するための最良の形態】
【００３６】
以下、図面を参照しながら本発明の実施形態について詳解する。
【００３７】
図１には、本発明の一実施形態に係る通信システムの構成を示している。図示の通信システムでは、反射器２００を搭載したモバイル機器と、反射波読取器２１０の間で反射波伝送を行なう。本実施形態では、サブキャリア変調を用いた反射波伝送が行なわれるものとする。反射器２００と反射波読取装置２１０間のデータ通信、並びに反射波読取装置２１０の構成は図４に示した従来例と相違ないので、ここでは説明を省略する。反射器２００は、サブキャリア周波数の送受信のためのアンテナ２３０と、サブキャリア変調波を受信するための受信機２３２と、送受信を切り替えるアンテナ・スイッチ２３１をさらに備えている点で、図４に示したものとは相違する。
【００３８】
反射器２００からデータ送信を行なう際、サブキャリア変調波は、サブキャリア変調器２２０からアンテナ・スイッチ２３１を経由して、アンテナ２３０より送信される。このとき、アンテナ・スイッチ２３１は、ベースバンド処理部２０８より、アンテナ２３０を図中ｂ側に接続するように制御される。サブキャリアには、例えば３０〜６０ＭＨｚなどの周波数帯が使用され、ベースバンド処理部２０８よりパワーダウンの制御を受け、微弱電波レベルまで送信電力を絞って使用される。
【００３９】
一方、反射器２００がデータ受信を行なうときには、アンテナ・スイッチ２３１はベースバンド処理部２０８より図中ａ側に接続するように制御される。そして、受信されたサブキャリア変調波は、受信部２３２でベースバンド信号に変換され、ベースバンド処理部２０８で復調される。
【００４０】
受信部２３２は、微弱電波用のＶＨＦ帯のものでＣＭＯＳ回路を用いて実装することで、低消費電力で実現することが可能である。したがって、図４に示した反射器に受信部２３２をさらに追加することに伴う消費電力は、反射波通信を行なっているときとほぼ同じと考えることができ、低消費電力という特徴を損なうことなく、端末間直接通信が可能である。
【００４１】
反射波読取装置２１０との間で使用される変調反射波信号ｆ１、並びに無変調キャリアｆ２を２．４ＧＨｚ帯とすると、端末装置２００側には、２．４ＧＨｚ帯の電波を自ら送信する送信機を持つ必要がなく、従来からあるサブキャリア変調器を利用して、新たにサブキャリア用のアンテナと受信機を装備するだけで、反射波読取装置無しで端末間の直接通信が実現することができる。
【００４２】
図２には、反射器を備えた端末装置間で反射波読取装置の介在なしにデータの授受を行なうための通信制御シーケンスの一例を示している。ここでは図３に示すように、端末装置４００と端末装置４０１間で直接通信を行なうことを想定する。端末装置４００を携帯電話、端末装置４０１をデジタルカメラとすると、相互の端末を近付けるだけで、例えば画像データの交換が可能となる。
【００４３】
（１）まず、端末装置４００及び４０１をともに、端末間通信モードに設定する（３００、３０１）。
（２）次いで、端末装置４００は端末装置４０１に対して、接続の操作を行なう（３０２）。
（３）端末装置４００は、サブキャリアを用いて接続要求信号３０３を送信する。
（４）端末装置４０１は、端末装置４００からの接続要求信号３０３を正しく受信することができたときには、サブキャリアを用いて接続応答信号３０４を返信する。
（５）通信相手となる端末装置４００は、端末応答信号３０４を正しく受信することができたときには、サブキャリアを用いてデータ３０５送信する。
【００４４】
（６）端末装置４０１は、通信相手となる端末装置４００からのデータ３０５を正しく受信することができたときには、サブキャリアを用いて肯定応答のＡｃｋ３０６を返信する。
（７）端末装置４００は、通信相手となる通信装置４０１からのＡｃｋ３０６を正しく受信することができたときには、サブキャリアを用いて後続のデータ３０７を送信する。
（８）端末装置４０１は、通信相手となる通信装置４００から続くデータ３０７を正しく受信することができたときには、サブキャリアを用いて肯定応答付のデータ３０８を送信する。
【００４５】
（９）端末装置４００は、肯定応答付きのデータ３０８が正しく受信することができたときには、サブキャリアを用いて肯定応答のＡｃｋ３０９を送信する。
【００４６】
このように、本実施形態に係る通信システムでは、反射波読取装置が無い状態であっても、サブキャリアを利用して端末間の直接通信が可能となる。
【産業上の利用可能性】
【００４７】
以上、特定の実施形態を参照しながら、本発明について詳解してきた。しかしながら、本発明の要旨を逸脱しない範囲で当業者が該実施形態の修正や代用を成し得ることは自明である。すなわち、例示という形態で本発明を開示してきたのであり、本明細書の記載内容を限定的に解釈するべきではない。本発明の要旨を判断するためには、特許請求の範囲を参酌すべきである。
【図面の簡単な説明】
【００４８】
【図１】図１は、本発明を実現するのに適した典型的なパーソナル・コンピュータ（ＰＣ）１００のハードウェア構成を模式的に示した図である。
【図２】図２は、反射器を備えた端末装置間で反射波読取装置の介在なしにデータの授受を行なうための通信制御シーケンスの一例を示した図である。
【図３】図３は、端末装置４００と端末装置４０１間で直接通信を行なう様子を示した図である。
【図４】図４は、反射波伝送を行なう反射器と反射波読取器の構成を示した図である。
【図５】図５は、反射波伝送方式を利用した通信システムの構成例を示した図である。
【符号の説明】
【００４９】
１００…デジタルカメラ
１０１…反射波読取装置
１０４…テレビ
１０５…メモリ
１０６…携帯電話
２００…端末装置
２０１…アンテナ
２０２…単極双投（ＳＰＤＴ）スイッチ
２０３、２０４…ＦＥＴスイッチ
２０６…高周波アンプ
２０７…ＡＳＫ検波部
２０８…ベースバンド処理部
２０９…アプリケーション部
２１０…反射波読取装置
２１１…アンテナ
２１２…サーキュレータ
２１３…受信部
２１４…送信部
２１５…ベースバンド処理部
２１６…アプリケーション部
２２０…サブキャリア変調器
２３０…アンテナ
２３１…アンテナ・スイッチ
２３２…受信機
【図１】
2008124916.tif 000003
【図２】
2008124916.tif 000004
【図４】
2008124916.tif 000005
【図３】
2008124916.tif 000006
【図５】
2008124916.tif 000007